(57)【要約】      （修正有）【課題】本考案は、保持バンドに釘やネジ等の金属パーツを付着させることにより衛生的で適切に一時保管することができると共に作業効率を向上させることができる金属パーツ用マグネット保持バンドを提供する。【解決手段】金属パーツ用マグネット保持バンド１０の本体部１２の表面には表カバー１４が配設され、裏面には裏カバー１６が配設されている。この表カバー１４と裏カバー１６の間にはマグネットラバー２０と補強マグネット取付シート２２が配設されている。補強マグネット取付シート２２の補強マグネット収容凹部２４には補強マグネット２６が収容されている。また、本体部１２の一側部１２Ａにはアームバンド３０が取付けられている。また、本体部１２の他側部１２Ｂには前記アームバンド３０と係止可能な係止舌片３４が取り付けられている。【選択図】図２
0003109037.tif 000002
【実用新案登録請求の範囲】
【請求項１】
扁平状の本体部と、この本体部の表面に配設された表カバーと、前記本体部の裏面に配設された裏カバーと、前記表カバーと裏カバーの間に配設されると共に前記表カバーに載置された金属パーツを付着できる磁力を有するマグネットシートと、前記表カバーと裏カバーの間で前記マグネットシートの裏側にマグネットシートと重なった状態で配設された補強マグネット取付シートと、この補強マグネット取付シートに取り付けられた補強マグネットと、前記本体部の一側部に基端部が結合されたバンドと、を有してなることを特徴とする金属パーツ用マグネット保持バンド。
【請求項２】
扁平状の本体部と、この本体部の表面に配設された表カバーと、前記本体部の裏面に配設された裏カバーと、前記表カバーと裏カバーの間に配設されると共に前記表カバーに載置された金属パーツを付着できる磁力を有するマグネットシートと、前記表カバーと裏カバーの間で前記マグネットシートの裏側にマグネットシートと重なった状態で配設された補強マグネット取付シートと、この補強マグネット取付シートの表面に形成された複数の補強マグネット収容凹部と、これら補強マグネット収容凹部に収容された補強マグネットと、前記本体部の一側部に基端部が結合されたアームバンドと、このアームバンドの先端部に設けられた第１のマジックテープ（登録商標）と、前記本体部の他側部に設けられた第２のマジックテープ（登録商標）と、を有してなることを特徴とする金属パーツ用マグネット保持バンド。
【考案の詳細な説明】
【技術分野】
【０００１】
本考案は、釘やネジ等の金属パーツを腕等に巻き付ける保持バンドに付着することにより釘打ちやネジ止め等の作業を衛生的で効率よく行うことができる金属パーツ用マグネット保持バンドに関する。
【背景技術】
【０００２】
建築現場や大工仕事等で作業者が釘を複数打つ釘打ち作業を行う場合は作業性の点から複数の釘を口に含んで口から釘を取り出して釘打ち作業を行ったり、あるいは多数の釘をポケットや釘袋に入れてポケットや釘袋から釘を取り出して釘打ち作業を行っている。
しかし、多数の釘を口に含むのは不衛生であると共に誤飲してしまうおそれがある。また、釘をポケットや釘袋に入れて釘打ち作業をする場合は作業中の体勢等によって釘がポケットや釘袋から落下してしまう等の不具合がある。
また、自動車等の車両整備においては車両の下に作業者がもぐりこんで整備作業を行う必要があるが、車両の下はスペースが狭いと共に作業者も作業中の体勢が制限されてしまうためネジ等の金属パーツの取り出しや一時保管が制限されて作業効率が悪いという不具合がある。
また、カーオーディオ等を取り付ける場合等においては多数の細かいネジやナット等の金属パーツを必要とするが、従来はこれら多数のネジやナット等の金属パーツを一時的に保管しておく適切な手段がなく、前記金属パーツの紛失や作業効率が悪くなってしまうという不具合がある。
【考案の開示】
【考案が解決しようとする課題】
【０００３】
本考案は、上記事実に鑑みなされたものであり保持バンドに釘やネジ等の金属パーツを付着させることにより衛生的で適切に一時保管することができると共に作業効率を向上させることができる金属パーツ用マグネット保持バンドを提供するものである。
【課題を解決するための手段】
【０００４】
請求項１の考案は、扁平状の本体部と、この本体部の表面に配設された表カバーと、前記本体部の裏面に配設された裏カバーと、前記表カバーと裏カバーの間に配設されると共に前記表カバーに載置された金属パーツを付着できる磁力を有するマグネットシートと、前記表カバーと裏カバーの間で前記マグネットシートの裏側にマグネットシートと重なった状態で配設された補強マグネット取付シートと、この補強マグネット取付シートに取り付けられた補強マグネットと、前記本体部の一側部に基端部が結合されたバンドと、を有してなることを特徴としている。
請求項２の考案は、扁平状の本体部と、この本体部の表面に配設された表カバーと、前記本体部の裏面に配設された裏カバーと、前記表カバーと裏カバーの間に配設されると共に前記表カバーに載置された金属パーツを付着できる磁力を有するマグネットシートと、前記表カバーと裏カバーの間で前記マグネットシートの裏側にマグネットシートと重なった状態で配設された補強マグネット取付シートと、この補強マグネット取付シートの表面に形成された複数の補強マグネット収容凹部と、これら補強マグネット収容凹部に収容された補強マグネットと、前記本体部の一側部に基端部が結合されたアームバンドと、このアームバンドの先端部に設けられた第１のマジックテープ（登録商標）と、前記本体部の他側部に設けられた第２のマジックテープ（登録商標）と、を有してなることを特徴としている。
【考案の効果】
【０００５】
本考案の金属パーツ用マグネット保持バンドは、本体部に釘やネジ等の金属パーツを確実に保持できるので、前記金属パーツを適切に一時保管して作業を行うことができるという優れた効果を有する。
本考案の金属パーツ用マグネット保持バンドは、本体部に釘やネジ等の金属パーツを確実に保持できるので作業中に金属パーツが落下したり紛失したりするおそれが少ないと共に作業効率の向上を図れるという優れた効果を有する。
【考案を実施するための最良の形態】
【０００６】
考案を実施するために最良の形態の例として以下のような実施例を示す。
【実施例１】
【０００７】
図１〜図３には本考案の金属パーツ用マグネット保持バンドの一実施例が示されている。なお、実施例では建築現場等で釘打ち作業を行う場合を例にして説明すると共に金属パーツとしての釘を保持する場合を例にして説明する。
図１に示されるように、金属パーツ用マグネット保持バンド１０の本体部１２は扁平状で平面視長円形状に形成されている。この本体部１２の表面には磁気を通す性質を有する素材で形成された平面視長円形状の表カバー１４が配設され、裏面には磁気を通す性質を有する素材で形成された平面視長円形状の裏カバー１６が配設されている。
図２に示されるように、この表カバー１４と裏カバー１６の間にはマグネットシートとしての平面視長円形状のマグネットラバー２０と平面視長円形状の補強マグネット取付シート２２が重なる状態で配設されている。そして、この状態で表カバー１４とマグネットラバー２０と補強マグネット取付シート２２と裏カバー１６は外縁部に配設されたリング状の外縁布体２３によって挟まれて、外縁布体２３を縫着等することにより一体とされている（図１参照）。
前記マグネットラバー２０はシート状のラバーにマグネットパウダーが添加されており、マグネットラバー２０は磁性を帯びている。従って、前記表カバー１４の上に釘１を載せると釘１は表カバー１４を通過したマグネットラバー２０の磁力により表カバー１４に付着するようになっている。
また、前記補強マグネット取付シート２２の表面には平面視円形の補強マグネット収容凹部２４が３個並んで形成されている。これら補強マグネット収容凹部２４には円板状の補強マグネット２６が収容されている。従って、これら補強マグネット２６を前記補強マグネット取付シート２２に取り付けることにより、補強マグネット２６の磁力が前記表カバー１４を通過して前記マグネットラバー２０の磁力と相俟って釘１を確実に付着、保持するようになっている。
図２に示されるように、前記本体部１２の一側部１２Ａにはアームバンド３０の基端部３０Ａが結合されている。このアームバンド３０の先端部３０Ｂの裏面には第１のマジックテープ（登録商標）としてのマジックテープ（登録商標）の雄部３２Ａが設けられている。また、前記本体部１２の他側部１２Ｂには係止舌片３４が取り付けられている。この係止舌片３４の表面には第２のマジックテープ（登録商標）としてのマジックテープ（登録商標）の雌部３２Ｂが設けられている。
従って、図３に示されるように前記アームバンド３０のマジックテープ（登録商標）の雄部３２Ａをマジックテープ（登録商標）の雌部３２Ｂに係止することによりアームバンド３０を腕にフィットした状態で巻き付けることができるようになっている。
【０００８】
実施例の金属パーツ用マグネット保持バンド１０の作用について説明する。
この金属パーツ用マグネット保持バンド１０を腕に取り付ける場合は、腕時計をするように本体部１２を腕に置いた状態にしてアームバンド３０を腕に巻いてアームバンド３０のマジックテープ（登録商標）の雄部３２Ａをマジックテープ（登録商標）の雌部３２Ｂに係止する。
これにより、図３に示されるように金属パーツ用マグネット保持バンド１０は腕の手首に腕時計のように巻かれた状態で取り付けられる。なお、前記アームバンド３０はマジックテープ（登録商標）で係止するので腕の太さに関係なくフィットした状態で金属パーツ用マグネット保持バンド１０を取り付けることができる。
そして、前記本体部１２の表カバー１４に釘１を載せると釘１は表カバー１４を通過したマグネットラバー２０の磁力と補強マグネット２６の磁力によって表カバー１４に付着して保持される。しかも、上述したように表カバー１４にはマグネットラバー２０の磁力だけでなく、補強マグネット２６の磁力も作用するので釘１は前記表カバー１４に確実に付着して保持される。
従って、図３に示されるように、複数の釘１を金属パーツ用マグネット保持バンド１０に確実に保持することができるので、従来のように複数の釘１を口に含んで口から釘１を取り出して釘打ち作業を行ったり、あるいは多数の釘１をポケットや釘袋に入れてポケットや釘袋から釘１を取り出して釘打ち作業をする必要がない。
この結果、衛生的であると共に誤飲のおそれがなく、また、前記複数の釘１は磁力により金属パーツ用マグネット保持バンド１０の本体部１２に確実に付着しているので作業中に釘１が落下したり紛失したりするおそれを極めて少なくすることができるので、釘打ち作業の作業効率を向上させることができる。
また、前記金属パーツ用マグネット保持バンド１０はフィットした状態で腕等に取り付けることができると共に釘１等の金属パーツは本体部１２に確実に付着するので作業場所が身動きし難い場所（建築現場における高所や車両整備における車体の下等）であっても作業の作業効率を向上させることができる。
さらに、前記金属パーツ用マグネット保持バンド１０においては金属パーツは本体部１２に確実に付着するので、細かい多数の金属パーツを紛失しないで確実に一時保管できるので作業効率の向上を図ることができる。
【０００９】
なお、実施例では建築現場等で釘打ち作業を行う場合を例にして説明したが、金属パーツ用マグネット保持バンド１０の用途は建築現場等で釘打ち作業をする場合に限定されるものでなく、車両整備工場で車両を整備する場合やカーオーディオを取り付ける場合等、その用途は限定されないことは勿論である。
また、実施例では金属パーツ用マグネット保持バンド１０に付着させる金属パーツとして釘１を例にして説明したが、付着させる金属パーツは釘１に限定されるものでなくネジやナット等の他の金属パーツでもよいことは勿論である。
なお、実施例の金属パーツ用マグネット保持バンド１０では補強マグネット取付シート２２に３個の補強マグネット２６を設けた場合を示したが、補強マグネット２６の数は３個に限定されるものでないことは勿論である。
また、実施例では金属パーツ用マグネット保持バンド１０を腕に巻いて作業を行う場合を示したが、金属パーツ用マグネット保持バンド１０は腕以外に巻いて使用してもよいことは勿論である。
なお、実施例では第１のマジックテープ（登録商標）をマジックテープ（登録商標）の雄部３２Ａ、第２のマジックテープ（登録商標）をマジックテープ（登録商標）の雌部３２Ｂとしたが、第１のマジックテープ（登録商標）をマジックテープ（登録商標）の雌部３２Ｂ、第２のマジックテープ（登録商標）をマジックテープ（登録商標）の雄部３２Ａとしてもよいことは勿論である。
【図面の簡単な説明】
【００１０】
【図１】実施例の金属パーツ用マグネット保持バンドの全体斜視図である。
【図２】実施例の金属パーツ用マグネット保持バンドの分解図斜視図である。
【図３】実施例の金属パーツ用マグネット保持バンドの使用状態を示す斜視図である。
【符号の説明】
【００１１】
１０    金属パーツ用マグネット保持バンド
１２    本体部
１４    表カバー
１６    裏カバー
２０    マグネットラバー
２２    補強マグネット取付シート
２４    補強マグネット収容凹部
２６    補強マグネット
３０    アームバンド
３２Ａ  マジックテープ（登録商標）
３２Ｂ  マジックテープ（登録商標）
【図１】
0003109037.tif 000003
【図２】
0003109037.tif 000004
【図３】
0003109037.tif 000005
【手続補正書】
【提出日】平成16年11月12日(2004.11.12)
【手続補正１】
【補正対象書類名】実用新案登録請求の範囲
【補正対象項目名】全文
【補正方法】変更
【補正の内容】
【実用新案登録請求の範囲】
【請求項１】
扁平状の本体部と、この本体部の表面に配設された表カバーと、前記本体部の裏面に配設された裏カバーと、前記表カバーと裏カバーの間に配設されると共に前記表カバーに載置された金属パーツを付着できる磁力を有するマグネットシートと、前記表カバーと裏カバーの間で前記マグネットシートの裏側にマグネットシートと重なった状態で配設された補強マグネット取付シートと、この補強マグネット取付シートに取り付けられた補強マグネットと、前記本体部の一側部に基端部が結合されたバンドと、を有してなることを特徴とする金属パーツ用マグネット保持バンド。
【請求項２】
扁平状の本体部と、この本体部の表面に配設された表カバーと、前記本体部の裏面に配設された裏カバーと、前記表カバーと裏カバーの間に配設されると共に前記表カバーに載置された金属パーツを付着できる磁力を有するマグネットシートと、前記表カバーと裏カバーの間で前記マグネットシートの裏側にマグネットシートと重なった状態で配設された補強マグネット取付シートと、この補強マグネット取付シートの表面に形成された複数の補強マグネット収容凹部と、これら補強マグネット収容凹部に収容された補強マグネットと、前記本体部の一側部に基端部が結合されたアームバンドと、このアームバンドの先端部に設けられた第１の面ファスナーと、前記本体部の他側部に設けられた第２の面ファスナーと、を有してなることを特徴とする金属パーツ用マグネット保持バンド。
【手続補正２】
【補正対象書類名】明細書
【補正対象項目名】０００４
【補正方法】変更
【補正の内容】
【０００４】
請求項１の考案は、扁平状の本体部と、この本体部の表面に配設された表カバーと、前記本体部の裏面に配設された裏カバーと、前記表カバーと裏カバーの間に配設されると共に前記表カバーに載置された金属パーツを付着できる磁力を有するマグネットシートと、前記表カバーと裏カバーの間で前記マグネットシートの裏側にマグネットシートと重なった状態で配設された補強マグネット取付シートと、この補強マグネット取付シートに取り付けられた補強マグネットと、前記本体部の一側部に基端部が結合されたバンドと、を有してなることを特徴とする金属パーツ用マグネット保持バンド。
請求項２の考案は、扁平状の本体部と、この本体部の表面に配設された表カバーと、前記本体部の裏面に配設された裏カバーと、前記表カバーと裏カバーの間に配設されると共に前記表カバーに載置された金属パーツを付着できる磁力を有するマグネットシートと、前記表カバーと裏カバーの間で前記マグネットシートの裏側にマグネットシートと重なった状態で配設された補強マグネット取付シートと、この補強マグネット取付シートの表面に形成された複数の補強マグネット収容凹部と、これら補強マグネット収容凹部に収容された補強マグネットと、前記本体部の一側部に基端部が結合されたアームバンドと、このアームバンドの先端部に設けられた第１の面ファスナーと、前記本体部の他側部に設けられた第２の面ファスナーと、を有してなることを特徴としている。
【手続補正３】
【補正対象書類名】明細書
【補正対象項目名】０００７
【補正方法】変更
【補正の内容】
【０００７】
図１〜図３には本考案の金属パーツ用マグネット保持バンドの一実施例が示されている。なお、実施例では建築現場等で釘打ち作業を行う場合を例にして説明すると共に金属パーツとしての釘を保持する場合を例にして説明する。
図１に示されるように、金属パーツ用マグネット保持バンド１０の本体部１２は扁平状で平面視長円形状に形成されている。この本体部１２の表面には磁気を通す性質を有する素材で形成された平面視長円形状の表カバー１４が配設され、裏面には磁気を通す性質を有する素材で形成された平面視長円形状の裏カバー１６が配設されている。
図２に示されるように、この表カバー１４と裏カバー１６の間にはマグネットシートとしての平面視長円形状のマグネットラバー２０と平面視長円形状の補強マグネット取付シート２２が重なる状態で配設されている。そして、この状態で表カバー１４とマグネットラバー２０と補強マグネット取付シート２２と裏カバー１６は外縁部に配設されたリング状の外縁布体２３によって挟まれて、外縁布体２３を縫着等することにより一体とされている（図１参照）。
前記マグネットラバー２０はシート状のラバーにマグネットパウダーが添加されており、マグネットラバー２０は磁性を帯びている。従って、前記表カバー１４の上に釘１を載せると釘１は表カバー１４を通過したマグネットラバー２０の磁力により表カバー１４に付着するようになっている。
また、前記補強マグネット取付シート２２の表面には平面視円形の補強マグネット収容凹部２４が３個並んで形成されている。これら補強マグネット収容凹部２４には円板状の補強マグネット２６が収容されている。従って、これら補強マグネット２６を前記補強マグネット取付シート２２に取り付けることにより、補強マグネット２６の磁力が前記表カバー１４を通過して前記マグネットラバー２０の磁力と相俟って釘１を確実に付着、保持するようになっている。
図２に示されるように、前記本体部１２の一側部１２Ａにはアームバンド３０の基端部３０Ａが結合されている。このアームバンド３０の先端部３０Ｂの裏面には第１の面ファスナーとしてのマジックテープ（登録商標）の雄部３２Ａが設けられている。また、前記本体部１２の他側部１２Ｂには係止舌片３４が取り付けられている。この係止舌片３４の表面には第２の面ファスナーとしてのマジックテープ（登録商標）の雌部３２Ｂが設けられている。
従って、図３に示されるように前記アームバンド３０のマジックテープ（登録商標）の雄部３２Ａをマジックテープ（登録商標）の雌部３２Ｂに係止することによりアームバンド３０を腕にフィットした状態で巻き付けることができるようになっている。